(57)【要約】【課題】演奏者の足元のスペースを有効利用できると共に、演奏時の安定性を向上できる打楽器を提供すること【解決手段】スネアドラム３１、第１タム３２等の各種パッドを支持するスタンド２０を、演奏者側に立設される中央支柱２１を頂点として有するＶ字型に形成する。これにより、中央支柱２１の両側はスペースとなり、かかるスペースを有効に利用できる。また、一般的に多く打撃されるスネアドラム３１が、中央支柱２１に連結されている。そのため、スネアドラム３１を打撃したことに伴う力を、中央支柱２１で吸収できる。よって、スネアドラム３１を打撃することで、スタンド２０が演奏者側に傾倒するのが抑制され、スタンド２０の安定性を向上できる。【選択図】図１
2014092588.tif 000002
【特許請求の範囲】
【請求項１】
１以上のパッドと、前記パッドを支持する支持フレームとを備えた打楽器において、
前記支持フレームは、
鉛直方向に立設する中央縦フレームと、
演奏者側から見て前記中央縦フレームの左斜め奥方に配置され鉛直方向に立設する左縦フレームと、
演奏者側から見て前記中央縦フレームの右斜め奥方に配置され鉛直方向に立設する右縦フレームと、
前記中央縦フレームと前記左縦フレームとの間に延び前記中央縦フレームと前記左縦フレームとを連結する左横フレームと、
前記中央縦フレームと前記左縦フレームとの間に延び前記中央縦フレームと前記右縦フレームとを連結する右横フレームとを備え、
前記パッドは、前記中央縦フレームに連結されていることを特徴とする打楽器。
【請求項２】
前記左縦フレームと、前記右縦フレームとを側方縦フレームとし、前記側方縦フレームの各々に連結され、その途中に前記パッドが連結される水平方向に延びる第１アームを備え、
前記側方縦フレームと、前記第１アームとは、その少なくとも一方が前記側方縦フレームの鉛直方向の中心軸を軸に回転可能に連結されており、
前記第１アームと、前記第１アームに連結されているパッドとは、その少なくとも一方が前記第１アームの水平方向の中心軸を軸に回転可能に連結されており、
前記左横フレームと、前記右横フレームとは、その少なくとも一方が前記中央縦フレームを軸に回転可能に連結されていることを特徴とする請求項１記載の打楽器。
【請求項３】
前記第１アームとは別に、前記側方縦フレームの各々に連結され、その途中に前記パッドが連結される水平方向に延びる第２アームを備え、
前記側方縦フレームと、前記第２アームとは、その少なくとも一方が前記側方縦フレームの鉛直方向の中心軸を軸に回転可能に連結されており、
前記側方縦フレームは、前記第１アームと、前記第２アームとが連結されている部分が伸縮可能に構成されており、
前記第１アームと、前記第２アームとは、一方に連結されているパッドと、他方に連結されているパッドとが鉛直方向において重なる位置まで、前記側方縦フレームに沿ってスライド可能に構成されており、
前記側方縦フレームから前記第１アームに連結されているパッドまでの長さと、前記側方縦フレームから前記第２アームに連結されているパッドまでの長さとは、互いに異なる長さに調節可能に構成され、または、予め互いに異なる長さに調節不可能に固定されていることを特徴とする請求項２記載の打楽器。
【請求項４】
前記第１アームと、前記第２アームとのうち、一方は前記側方縦フレームに溶接されており、他方は前記側方縦フレームを軸に回転可能に連結されており、
前記側方縦フレームは、前記第１アームと、前記第２アームとが連結されている部分が自身の鉛直方向の中心軸を軸に回転可能に構成されていることを特徴とする請求項３に記載の打楽器。
【請求項５】
前記左横フレームと、前記右横フレームとのうち、一方は前記中央縦フレームに溶接され、他方は前記中央縦フレームを軸に回転可能に連結されていることを特徴とする請求項１から４のいずれかに記載の打楽器。
【請求項６】
前記左縦フレームの下方、または、前記右縦フレームの下方に連結され、演奏者が足でキックすることで前記パッドを打撃するキックペダルを取り付けるためのアタッチメントを備えていることを特徴する請求項１から５のいずれかに記載の打楽器。
【請求項７】
前記左縦フレームと、前記右縦フレームとの少なくとも一方を側方縦フレームとし、前記側方縦フレームの上端から鉛直方向に延び、その先端部に前記パッドの一つであるシンバルパッドが連結されるロッドと、
前記シンバルパッドに貫通形成され、前記ロッドの先端部と嵌合する嵌合穴と、
前記左横フレームと、前記右横フレームとの少なくとも一方から突出して、前記嵌合穴に挿入可能に構成される突起とを備えていることを特徴とする請求項１から６のいずれかに記載の打楽器。
【請求項８】
前記左縦フレームと、前記右縦フレームとの少なくとも一方を側方縦フレームとし、前記側方縦フレームの上端から鉛直方向に延び、その先端部に前記パッドの一つであるシンバルパッドが連結されるロッドと、
前記シンバルパッドに貫通形成され、前記ロッドの先端部と嵌合する嵌合穴と、
弾性を有する筒状に構成され、前記ロッドの先端部に圧着されるストッパとを備え、
前記ストッパの外周は、前記ロッドの先端側から順番に、
前記嵌合穴の直径よりも大径に構成されている上部と、
前記上部よりも小径に構成されている腹部と、
前記上部よりも大径に構成されている下部とを備えていることを特徴とする請求項１から７のいずれかに記載の打楽器。
【請求項９】
前記左縦フレームと、前記右縦フレームとの少なくとも一方を側方縦フレームとし、前記側方縦フレームの上端から鉛直方向に延び、前記側方縦フレームに対して回転可能に連結されている第１ロッドと、
前記第１ロッドの一端に連結され、先端に前記パッドの一つであるシンバルパッドが連結される第２ロッドと、
前記第１ロッドに対する前記第２ロッドの角度を調節可能に、前記第１ロッドと前記第２ロッドとを連結する連結部材とを備え、
前記第１ロッドは、
前記側方縦フレームから鉛直方向に延びる基部と、
前記基部から奥方に屈曲する屈曲部と、
前記屈曲部から前記連結部材まで延びるオフセット部とを備えていることを特徴とする請求項１から８のいずれかに記載の打楽器。
【請求項１０】
前記左縦フレームに連結されている前記第１アームは、前記左横フレームよりも短く、前記右縦フレームに連結されている前記第１アームは、前記右横フレームよりも短く構成されていることを特徴とする請求項２から９のいずれかに記載の打楽器。
【発明の詳細な説明】
【技術分野】
【０００１】
本発明は、打楽器に関し、特に、演奏者の足元のスペースを有効利用できると共に、演奏時の安定性を向上できる打楽器に関する。
【背景技術】
【０００２】
従来より、支持フレームからアームを延ばし、そのアームに各種パッド装置を連結した電子打楽器が知られている。例えば、次の特許文献１には、並列に並べた２本の支柱の間を横パイプで繋ぎ、その横パイプや支柱からアームを延ばし、そのアームに各種パッド装置を連結した電子打楽器が記載されている。
【０００３】
また、かかる支持フレームを備えた電子打楽器では、パッド装置を打撃することで、支持フレームが演奏者側に傾倒する恐れがあった。そこで、次の特許文献１には、支柱の足元から演奏者側に延びる支持部材が設けられている。
【先行技術文献】
【特許文献】
【０００４】
【特許文献１】特開２００９−２６５６１９号公報
【発明の概要】
【発明が解決しようとする課題】
【０００５】
しかしながら、支柱の足元から演奏者側に延びる支持部材が設けられていると、支持部材が演奏者の邪魔になったり、足元に設置する各種ペダルの配置場所が制限される、という問題点があった。
【０００６】
本発明は、上記の問題点を解決するためになされたものであり、演奏者の足元のスペースを有効利用できると共に、演奏時の安定性を向上できる打楽器を提供することを目的とする。
【課題を解決するための手段および発明の効果】
【０００７】
請求項１記載の打楽器によれば、支持フレームは、演奏者側に中央縦フレームが立設し、中央縦フレームから左斜め奥方に左縦フレーム、右斜め奥方に右縦フレームが立設し、中央縦フレームと左縦フレームとが左横フレーム、中央縦フレームと右縦フレームとが右横フレームで連結されている。即ち、支持フレームは、演奏者側に中央縦フレームを頂点として有するＶ字型に形成されている。よって、中央縦フレームの両側（左縦フレームの根本付近、右縦フレームの根本付近）はスペースとなる。即ち、演奏者が中央縦フレームを足の間に挟むように足を開いて演奏する場合、演奏者の足下は、丁度、スペースとなっている。従って、かかるスペースを有効利用することができる。また、パッドは、中央縦フレームに連結されているので、パッドを打撃することに伴う力は、演奏者側に立設されている中央縦フレームで吸収される。よって、パッドを打撃することで、支持フレームが演奏者側に傾倒するのが抑制される。従って、演奏時における支持フレームの安定性を向上できるという効果がある。
【０００８】
請求項２記載の打楽器によれば、請求項１記載の打楽器の奏する効果に加え、次の効果を奏する。即ち、側方縦フレームと、第１アームとは、その少なくとも一方が側方縦フレームの鉛直方向の中心軸を軸に回転可能に連結されているので、側方縦フレームと、第１アームとの少なくとも一方を、側方縦フレームの鉛直方向の中心軸を軸に回転させることで、第１アームは、鉛直方向において、左横フレーム、または、右横フレームと略平行になるように折り畳むことができる。また、第１アームと、第１アームに連結されているパッドとは、その少なくとも一方が第１アームの水平方向の中心軸を軸に回転可能に連結されているので、第１アームと、第１アームに連結されているパッドとの少なくとも一方を、第１アームの水平方向の中心軸を軸に回転させることで、パッド面を鉛直方向と略平行にできる。そして、左横フレームと、右横フレームとは、その少なくとも一方が中央縦フレームを軸に回転可能に連結されているので、左横フレームと、右横フレームとの少なくとも一方を、中央縦フレームを軸に回転させることで、左横フレームと、右横フレームとの間の角度を小さくできる。そして、第１アームは、鉛直方向において、左横フレーム、または、右横フレームと略平行になるように折り畳めれる上、第１アームに連結されているパッドは、そのパッド面を鉛直方向と略平行にできる。即ち、パッドが連結された状態のまま第１アームを、左横フレームと、右横フレームとの間に折り畳むことができる。従って、幅方向にコンパクトに折り畳むことができるという効果がある。
【０００９】
請求項３記載の打楽器によれば、請求項２記載の打楽器の奏する効果に加え、次の効果を奏する。即ち、側方縦フレームに、第１アームと、第２アームとが連結されていても、両者の側方縦フレームからパッドまでの長さが異なるように調節可能に構成され、または、予め互いに異なる長さに調節不可能に固定されている。よって、第１アームと、第２アームとを、側方縦フレーム沿って、両者に連結されているパッドが鉛直方向において重なる位置までスライドさせても、両者のパッドが幅方向に重なる部分を少なくできる。よって、一層、幅方向にコンパクトに折り畳むことができるという効果がある。
【００１０】
請求項４記載の打楽器によれば、請求項３記載の打楽器の奏する効果に加え、次の効果を奏する。即ち、側方縦フレームは、第１アームと、第２アームとが連結されている部分が、自身の鉛直方向の中心軸を軸に回転可能に構成されているので、第１アームと、第２アームとのうち、一方を側方縦フレームに溶接できる。よって、第１アームと、第２アームとの両方を、側方縦フレームを軸に回転可能に連結するよりも、支持フレームのコストダウンを図ることができるという効果がある。
【００１１】
請求項５記載の打楽器によれば、請求項１から４のいずれかに記載の打楽器の奏する効果に加え、次の効果を奏する。即ち、左横フレームと、右横フレームとのうち、一方が中央縦フレームに溶接され、他方は中央縦フレームを軸に回転可能に連結されている。よって、左横フレームと、右横フレームとの両方を、中心縦フレームを軸に回転可能に連結するよりも、支持フレームのコストダウンを図ることができるという効果がある。
【００１２】
請求項６に記載の打楽器によれば、請求項１から５のいずれかに記載の打楽器の奏する効果に加え、次の効果を奏する。即ち、支持フレームは、演奏者側に中央縦フレームを頂点として有するＶ字型に形成されているので、演奏者の足下は、丁度、スペースとなっている。そして、かかるスペースに、演奏者が足でキックすることで、左縦フレーム、または、右縦フレームに連結されるパッドを打撃するキックペダルが設置できるように、左縦フレームの根本、または、右縦フレームの根本には、かかるキックペダルを取り付けるためのアタッチメントが連結されているので、演奏者にとって使い勝手が良い、という効果がある。
【００１３】
請求項７に記載の打楽器によれば、請求項１から６のいずれかに記載の打楽器の奏する効果に加え、次の効果を奏する。即ち、シンバルパッドは、自身に貫通形成されている嵌合穴に、左横フレームと、右横フレームとの少なくとも一方から突出する突起を挿入することで、シンバルパッドを、左横フレームと、右横フレームとの少なくとも一方に吊り下げることができる。よって、一層、コンパクトに折り畳むことができるという効果がある。
【００１４】
請求項８に記載の打楽器によれば、請求項１から７のいずれかに記載の打楽器の奏する効果に加え、次の効果を奏する。即ち、ロッドの先端部に圧着されているストッパは、その外周が、ロッドの先端側から順番に、嵌合穴の直径よりも大径に形成されている上部と、上部よりも小径に形成されている腹部と、上部よりも大径に形成されている下部とを備えている。そのため、シンバルパッドの嵌合孔を、ロッドの先端部に差込む場合、或いは、ロッドの先端部から引き抜く場合には、ストッパの上部を圧縮させれば良く、シンバルパッドの着脱を簡単にできるという効果がある。また、下部は、上部よりも大径に構成されているので、シンバルパッドを装着した場合でも、ストッパの下部によってシンバルパッドを係止することができるという効果がある。
【００１５】
請求項９に記載の打楽器によれば、請求項１から８のいずれかに記載の打楽器の奏する効果に加え、次の効果を奏する。即ち、第１ロッドにオフセット部を設けることなく、同じ位置にシンバルパッドを設けるには、側方縦フレームから鉛直方向に延びる第１ロッドの基部を、第１ロッドのオフセット部と連結部材との連結部分まで引き延ばす必要がある。この場合、支持フレームは大型化してしまう。一方、第１ロッドの基部の一端に連結部材を連結すると、第２ロッドが短くなり、シンバルパッドの揺れに悪影響を及ぼす可能性がある。この点、第１ロッドは、オフセット部を備えているので、第２ロッドの長さを、適度な長さに確保しつつ、支持フレームが大型化するのを防止できる。また、オフセット部を備えていても、第１ロッドは、側方縦フレームに対して回転可能に連結されている。よって、折り畳む場合には、第１ロッドのオフセット部を、左横フレームと、右横フレームとの間に回転させることで、幅方向に飛び出るのを防止できるという効果がある。
【００１６】
請求項１０に記載の打楽器によれば、請求項２から９のいずれかに記載の打楽器の奏する効果に加え、次の効果を奏する。例えば、第１アームが左縦フレームに連結され、第１アームが左縦フレームを軸に回転可能に構成されているとする。この場合、第１アームは、左横フレームよりも短く構成されているので、第１アームを左縦フレームを軸に回転させることで、第１アームを左横フレームと、右横フレームとの上方に折り畳むことができる。よって、幅方向にコンパクトに折り畳むことができるという効果がある。
【図面の簡単な説明】
【００１７】
【図１】電子ドラムセットの斜視図である。
【図２】電子ドラムセットの正面図である。
【図３】電子ドラムセットの背面図である。
【図４】（ａ）は、左縦ロッドと、ストッパと、クラッシュシンバルとを示す分解斜視図、（ｂ）は、左縦ロッドと、ストッパと、クラッシュシンバルとの縦断面図である。
【図５】電子ドラムセットの折り畳み手順を説明するための図である。
【図６】電子ドラムセットの折り畳み手順を説明するための図である。
【図７】電子ドラムセットの折り畳み手順を説明するための図である。
【図８】電子ドラムセットの折り畳み手順を説明するための図である。
【図９】（ａ）は、電子ドラムセットを折り畳んだ状態を示す斜視図である。（ｂ）は、（ａ）に示す態様とは異なる態様で電子ドラムセットを折り畳んだ状態を示す斜視図である。
【発明を実施するための形態】
【００１８】
以下、本発明の好ましい実施の形態について、添付図面を参照して説明する。まず、図１〜図３を参照をして、電子ドラムセット１０の構成について説明する。図１は、電子ドラムセット１０の斜視図、図２は、電子ドラムセット１０の正面図、図３は、電子でラムセット１０の背面図である。
【００１９】
尚、図１〜図３では、各図面の左肩部に座標軸を図示している。座標軸は、演奏者が向く方向をＦ、その反対方向をＢ、演奏者から見て左方向をＬ、右方向をＲ、鉛直方向上向きをＵ、下向きをＤ、として図示している。また、図２，３では、ハイハットコントロールペダル５０と、キックペダル６０とを取り外した状態を図示している。
【００２０】
電子ドラムセット１０は、各種パッド３１〜３８を叩くことで発生する振動をセンシングし、それに応じた電気信号をケーブルを介して音源４０へ送り、それに応じた電子音を出力するものである。
【００２１】
電子ドラムセット１０は、主に、スタンド２０と、各種パッド（スネアドラム３１、第１、第２、第３タム３２，３３，３４、ハイハット３５、クラッシュシンバル３６、ライドシンバル３７、キックパッド３８）と、音源４０と、ハイハットコントロールペダル５０と、キックペダル６０とによって構成されている。
【００２２】
スタンド２０は、各種パッド３１〜３８等を支持するものであり、主に、中央支柱２１と、中央支柱２１の左奥方に設置される左支柱２２と、中央支柱２１の右奥方に設置される右支柱２３と、中央支柱２１と左支柱２２とを連結する左横フレーム２４と、中央支柱２１と右支柱２３とを連結する右横フレーム２５とによって構成されている。
【００２３】
左横フレーム２４の両端は、中央支柱２１と左支柱２２とに溶接されている。右横フレーム２５の一端は、ハンドル付クランプ２１ａを介して中央支柱２１と連結され、他端が右支柱２３に溶接されている。よって、右横フレーム２５は、ハンドル付クランプ２１ａを緩めることで、中央支柱２１を回転軸として回転させることができる。また、その他の箇所は、溶接によって連結することで、スタンド２０をコストダウンできると共に、スタンド２０の強度を向上できる。
【００２４】
左支柱２２の上方には、クランプ２２ａを介して、左縦パイプ２２１が連結されている。左縦パイプ２２１は、専用ドラムキーを用いてクランプ２２ａを緩めることで、左支柱２２の鉛直方向の中心軸を軸に回転させることができると共に、左支柱２２内に収納可能に構成されている。
【００２５】
更に、左縦パイプ２２１の上方には、レバー付きクランプ２２１ｆを介して、左縦ロッド２２２が連結されている。左縦ロッド２２２は、レバー付クランプ２２１ｆを緩めることで、左縦パイプ２２１の鉛直方向の中心軸を軸に回転させることができると共に、左縦パイプ２２１内に収納可能に構成されている。
【００２６】
一方、右支柱２３についても、左支柱２２と同様に構成されている。右支柱２３の上方には、クランプ２３ｄを介して、右縦パイプ２３１が連結されている。右縦パイプ２３１は、専用ドラムキーを用いてクランプ２３ｄを緩めることで、右支柱２３の鉛直方向の中心軸を軸に回転できると共に、右支柱２２内に収納可能に構成されている。
【００２７】
また、右縦パイプ２３１の上方には、レバー付きクランプ２３１ｄを介して、右縦ロッド２３２が連結されている。右縦ロッド２３２は、レバー付クランプ２３１ｄを緩めることで、右縦パイプ２３１の鉛直方向の中心軸を軸に回転させることができると共に、右縦パイプ２３１内に収納可能に構成されている。
【００２８】
このように、スタンド２０は、演奏者側に立設される中央支柱２１を頂点として有するＶ字型に形成されている。よって、中央支柱２１の両側（左支柱２２の根本付近、右支柱２３の根本付近）はスペースとなり、かかるスペースを有効に利用できる。また、ハンドル付クランプ２１ａを緩め、右横フレーム２５を中央支柱２１を回転軸として回転させることで、左横フレーム２１と右横フレーム２５との角度を小さくし、幅方向にコンパクトに折り畳むことができる。更に、左縦パイプ２２１、左縦ロッド２２２、右縦パイプ２３１、右縦ロッド２３２は、鉛直方向に伸縮可能に構成されているので、高さ方向にもコンパクトに折り畳むことができる。
【００２９】
次に、スタンド２０に連結されている各種パッド３１〜３８等について説明する。中央支柱２１の上端には、ハンドル付Ｔ型クランプ２１ｂ、コの字型連結パイプ２１ｃ（図３参照）を介して、スネアドラム３１が連結されている。
【００３０】
ハンドル付Ｔ型クランプ２１ｂは、中央支柱２１と、コの字型連結パイプ２１ｃとを連結するものである。中央支柱２１を締め付けているハンドル付ネジを緩めることで、コの字型連結パイプ２１ｃと、スネアドラム３１とを一体に、中央支柱２１を回転軸として回転させることができると共に、中央支柱２１に沿ってスライドさせることができる。
【００３１】
また、コの字型連結パイプ２１ｃの下方パイプを締め付けているボルドを、専用のドラムキー（図示せず、以下同様）で緩めることで、コの字型連結パイプ２１ｃと、スネアドラム３１とを一体に、コの字型連結パイプ２１ｃの下方のパイプを回転軸として回転させることができる。更に、スネアドラム３１の裏側には、コの字型連結パイプ２１ｃの上方のパイプを挿通してボルドで締め付ける連結部３１ａ（図３参照）が備えられている。このボルドを専用のドラムキーで緩めることで、スネアドラム３１を、コの字型連結パイプ２１ｃの上方のパイプを回転軸として回転させることができる。
【００３２】
このように、スネアドラム３１は、ハンドル付Ｔ型クランプ２１ｂ、コの字型連結パイプ２１ｃを介して、中央支柱２１の上端の上方に位置するように、中央支柱２１に連結されている。そのため、スネアドラム３１を打撃したことに伴う力は、演奏者側に立設されている中央支柱２１で吸収される。よって、スネアドラム３１を打撃することで、スタンド２０が演奏者側に傾倒するのが抑制される。従って、演奏時におけるスタンド２０の安定性を向上できる。また、スネアドラム３１は、一般的に打撃される回数多いパッドなので、かかるスネアドラム３１を中央支柱２１に連結することが、特に、効果的である。
【００３３】
一方、左支柱２２の根本には、ハイハットコントロールペダル５０が設置されている。スタンド２０は、演奏者側に中央支柱２１を頂点として有するＶ字型に形成されているので、中央支柱２１の両側（左支柱２１の根本付近、右支柱２３の根本付近）はスペースとなる。即ち、演奏者が中央支柱２１を足の間に挟むように足を開いて演奏する場合、演奏者の足下は、丁度、スペースとなっている。よって、かかるスペースに、ハイハットコントロールペダル５０を設置することで演奏者の使い勝手を向上できる。
【００３４】
また、左縦パイプ２２１には、下方から順番に、音源４０、ハイハット３５、第１タム３２が連結されている。音源４０は、左縦パイプ２２１に連結されているハンドル付きＴ型クランプ２２１ａ、横アーム２２１ｂ（図３参照）を介して、左縦パイプ２２１に連結されている。ハンドル付きＴ型クランプ２２１ａは、左縦パイプ２２１と、横アーム２２１ｂ（図３参照）とを連結するものである。左縦パイプ２２１を締め付けているハンドル付ネジを緩めることで、横アーム２２１ｂと、音源４０とを一体に左縦パイプ２２１を回転軸として回転させることができる。
【００３５】
また、横アーム２２１ｂ（図３参照）は、左縦パイプ２２１から先端までの長さが、左横フレーム２４よりも短く構成されている。また、横アーム２２１ｂに、音源４０を連結した場合でも、左縦パイプ２２１から音源４０の先端（左縦パイプ２２１から最も離れた音源４０の縁部）までの長さは、左横フレーム２４よりも短く構成されている。よって、横アーム２２１ｂと、音源４０とを一体に左縦パイプ２２１を回転軸として回転させることで、横アーム２２１ｂと音源４０とを、左横フレーム２４の上方に折り畳むことができる。従って、幅方向にコンパクトに折り畳むことができる。
【００３６】
また、横アーム２２１ｂを締め付けているボルドを、専用のドラムキーで緩めることで、横アーム２２１ｂと、音源４０とを一体に、横アーム２２１ｂの水平方向に延びる中心軸を軸に回転させることができる。よって、音源４０が鉛直方向と略平行になるように折り畳むことができ、幅方向にコンパクトに折り畳むことができる。
【００３７】
ハイハット３５は、左縦パイプ２２１に連結されているハンドル付きＴ型クランプ２２１ｃ、横アーム２２１ｄを介して左縦パイプ２２１に連結されている。ハンドル付きＴ型クランプ２２１ｃは、左縦パイプ２２１と、横アーム２２１ｄとを連結するものである。左縦パイプ２２１を締め付けているハンドル付ネジを緩めることで、横アーム２２１ｃと、ハイハット３５とを一体に、左縦パイプ２２１を回転軸として回転させることができる。
【００３８】
また、横アーム２２１ｄは、左縦パイプ２２１から先端までの長さが、左横フレーム２４よりも短く構成されている。また、左縦パイプ２２１からハイハット３５の先端（左縦パイプ２２１から最も離れたハイハット３５の縁部）までの長さは、左横フレーム２４よりも短く構成されている。よって、横アーム２２１ｄと、ハイハット３５とを一体に左縦パイプ２２１を回転軸として回転させることで、横アーム２２１ｄとハイハット３５とを、左横フレーム２４の上方に折り畳むことができる。従って、幅方向にコンパクトに折り畳むことができる。
【００３９】
また、横アーム２２１ｄを締め付けているボルドを、専用のドラムキーで緩めることで、横アーム２２１ｄと、ハイハット３５とを一体に、横アーム２２１ｄの水平方向に延びる中心軸を軸に回転させることができる。よって、ハイハット３５の打面が鉛直方向と略平行になるように折り畳むことができ、幅方向にコンパクトに折り畳むことができる。
【００４０】
第１タム３２は、一端が左縦パイプ２２１に溶接されている横アーム２２１ｅを介して左縦パイプ２２１に連結されている。横アーム２２１ｅの一端を左縦パイプ２２１に溶接することで、スタンド２０のコストダウンと、スタンド２０の強度アップとを図ることができる。
【００４１】
また、横アーム２２１ｅは、左縦パイプ２２１から先端までの長さが、左横フレーム２４よりも短く構成されている。また、後述する通り、第１タム３２は、横アーム２２１ｅに沿ってスライド可能であり、左縦パイプ２２１から第１タム３２の先端（左縦パイプ２２１から最も離れた第１タム３２の縁部）までの長さは、左横フレーム２４よりも短くなるように調節可能に構成されている。そして、上述した通り、左縦パイプ２２１は、専用ドラムキーを用いてクランプ２２ａを緩めることで、左支柱２２の鉛直方向の中心軸を軸に回転させることができる。よって、左縦パイプ２２１を、左支柱２２の鉛直方向の中心軸を軸に回転させることで、横アーム２２１ｅと第１タム３２とを、左横フレーム２４の上方に折り畳むことができる。従って、幅方向にコンパクトに折り畳むことができる。
【００４２】
また、第１タム３２の裏側には、横アーム２２１ｅを挿通してボルトで締め付ける連結部３２ａ（図３参照）が備えられている。かかるボルトを専用のドラムキーで緩めることで、第１タム３２を、横アーム２２１ｅの水平方向に延びる中心軸を軸に回転させることができる。よって、第１タム３２の打面が鉛直方向と略平行になるように折り畳むことができ、幅方向にコンパクトに折り畳むことができる。
【００４３】
また、第１タム３２を横アーム２２１ｅに沿ってスライドさせることができる。即ち、左縦パイプ２２１から第１タム３２までの長さ（左縦パイプの付け根から、第１タム３２の最も離れた縁部までの長さ）が、左縦パイプ２２１からハイハット３５までの長さよりも短くなるように調節可能に構成されている。これにより、折り畳んだ場合に、第１タム３２と、ハイハット３５とが幅方向に重なる部分を少なくでき、折り畳んだ状態で幅方向に大型化するのを防止できる。
【００４４】
クラッシュシンバル３６は、左縦ロッド２２２の上端に連結されている。ここで、左縦ロッド２２２と、クラッシュシンバル３６とについて図４を参照して説明する。図４（ａ）は、左縦ロッド２２２から、ストッパ８０と、クラッシュシンバル３６とを取り外した状態を示す分解斜視図、図４（ｂ）は、左縦ロッド２２２と、ストッパ８０と、クラッシュシンバル３６との縦断面図である。
【００４５】
図４（ａ）に示す通り、左縦ロッド２２２は、第１ロッド１と、第２ロッド２と、第１ロッド１に対し、第２ロッド２を屈曲可能に連結する連結金具３とによって構成されている。第１ロッド１は、左縦パイプ２２１から鉛直方向に延びる基部１ａと、基部１ａから横方に屈曲する屈曲部１ｂと、屈曲部１ｂから連結金具３まで延びるオフセット部１ｃとによって構成されている。第２ロッド２は、先端部２ａと、先端部２ａよりも小径に形成されている腹部２ｂと、腹部２ｂよりも大径に形成されている連結部２ｃとによって構成されている。
【００４６】
連結金具３は、コの字型に形成され、第１ロッド１のオフセット部１ｃの一端を挟んでボルトを介して連結している。また、第２ロッド２の連結部２ｃの一端が連結金具３の内面に溶接されている。よって、連結金具３のボルトを回転軸として、第１ロッド１のオフセット部１ｃと、第２ロッド２との間の角度を調整できる。
【００４７】
ここで、第１ロッド１にオフセット部１ｃを設けることなく、同じ位置にクラッシュシンバル３６を設けるには、第１ロッド１の基部１ａを、オフセット部１ｃと連結金具３との連結部分の位置まで移動させる必要がある。そのためには、かかる連結部分の位置まで左支柱２２を移動させる必要があり、それに伴って、左横フレーム２４を奥方に延ばす必要がある。よって、この場合には、スタンド２０が大型化する。一方、第１ロッド１の基部１ａを移動させず、第１ロッドの基部１ａの一端に連結金具３を連結することも考えられる。しかし、この場合は、第２ロッド２の長さが短くなり、クラッシュシンバル３６の揺れに悪影響を及ぼす可能性がある。
【００４８】
この点、第１ロッド１は、オフセット部１ｃを備えているので、第２ロッド２の長さを適度な長さに確保しつつ、スタンド２０が大型化するのを防止できる。また、オフセット部１ｃを備えていても、左縦ロッド２２２は、左縦パイプ２２１に対して回転可能に連結されている。そのため、折り畳む場合には、第１ロッド１のオフセット部１ｃを、左横フレーム２４と、右横フレーム２５との間に回転させることで、幅方向に飛び出るのを防止できる。
【００４９】
ストッパ８０は、ゴム製で筒状に形成されており、第２ロッド２の腹部２ｂに圧着される。ストッパ８０の内径は、第２ロッド２の腹部２ｂよりも小さく、また、第２ロッド２の先端部２ａは、腹部２ｂよりも大径に構成されているので、第２ロッド２の腹部２ｂから抜け難くなっている。
【００５０】
また、図４（ｂ）に示す通り、ストッパ８０の外周は、先端側から順番に、クラッシュシンバル３６に貫通形成されている嵌合穴３６ａの直径よりも大径に形成されている上部８０ａと、上部８０ａよりも小径に形成されている腹部８０ｂと、上部８０ａよりも大径に形成されている下部８０ｃとによって構成されている。
【００５１】
そのため、クラッシュシンバル３６の嵌合孔３６ａを、第２ロッド２に差込む場合、或いは、第２ロッド２から引き抜く場合には、ストッパ８０の上部８０ａを圧縮させれば良く、クラッシュシンバル３６の着脱を簡単にできる。また、ストッパ８０の下部８０ｃは、上部８０ａよりも大径に構成されているので、クラッシュシンバル３６を装着した場合でも、ストッパ８０の下部８０ｃによって確実にクラッシュシンバル３６を係止できる。
【００５２】
ここで、再び、図１〜図３に戻り、説明を続ける。右支柱２３の最下方には、ハンドル付クランプ２３ａを介して、アタッチメント２３ｂが連結されており、アタッチメット２３ｂにキックペダル６０（図１参照）が連結されている。アタッチメント２３ｂは、ハンドル付クランプ２３ａのハンドル付ネジを緩めることで、右支柱２３を回転軸として回転させることができる。
【００５３】
また、上述した通り、スタンド２０は、演奏者側に中央支柱２１を頂点として有するＶ字型に形成されているので、中央支柱２１の両側（左支柱２１の根本付近、右支柱２３の根本付近）はスペースとなる。よって、かかるスペースに、キックペダル６０を設置することで演奏者の使い勝手を向上できる。
【００５４】
また、右支柱２３のハンドル付クランプ２３ａの上方には、ハンドル付クランプ２３ｃを介して、キックパッド３８が連結されている。キックパッド３８は、キックペダル６０のビーター（打撃部）で打撃されるものである。また、キックパッド３８は、ハンドル付クランプ２３ｃのハンドルを緩めることで、右支柱２３を回転軸として回転させることができる。
【００５５】
このように、キックパッド３８は、右支柱２３に連結され、スタンド２０と一体に構成されている。よって、キックパッド３８をスタンド２０とは独立して設置する場合に比べて、電子ドラムセット１０全体のコストを低減できると共に、演奏時の安定性を向上させることができる。
【００５６】
右縦パイプ２３１には、下方から順番に、第２タム３３、第３タム３４が連結されている。第２タム３３は、右縦パイプ２３１に連結されているハンドル付きＴ型クランプ２３１ａ、横アーム２３１ｂを介して右縦パイプ２３１に連結されている。ハンドル付きＴ型クランプ２３１ａは、右縦パイプ２３１と、横アーム２３１ｂとを連結するものである。右縦パイプ２３１を締め付けているハンドル付ネジを緩めることで、横アーム２３１ｂと、第２タム３３とを一体に、右縦パイプ２３１を回転軸に回転させることができる。
【００５７】
また、横アーム２３１ｂは、右縦パイプ２３１から先端までの長さが、右横フレーム２５よりも短く構成されている。また、後述する通り、第２タム３３は、横アーム２３１ｂに沿ってスライド可能であり、右縦パイプ２３１から第２タム３３の先端（右縦パイプ２３１から最も離れた第２タム３３の縁部）までの長さは、右横フレーム２５よりも短くなるように調節可能に構成されている。よって、横アーム２３１ｂと、第２タム３３とを一体に右縦パイプ２３１を回転軸として回転させることで、横アーム２３１ｂと第２タム３３とを、右横フレーム２５の上方に折り畳むことができる。従って、幅方向にコンパクトに折り畳むことができる。
【００５８】
更に、第２タム３３の裏側には、横アーム２３１ｂを挿通してボルトで締め付ける連結部３３ａ（図３参照）が備えられている。かかるボルドを専用のドラムキーで緩めることで、第２タム３３を、横アーム２３１ｂの水平方向に延びる中心軸を軸に回転させることができる。よって、第２タム３３の打面が鉛直方向と略平行になるように折り畳むことができ、幅方向にコンパクトに折り畳むことができる。また、第２タム３３を横アーム２３１ｂに沿ってスライドさせることができるので、横アーム２３１ｂ上における第２タム３３の位置を調整できる。
【００５９】
第３タム３４は、一端が右縦パイプ２３１に溶接されている横アーム２３１ｃを介して右縦パイプ２３１に連結されている。横アーム２３１ｃの一端を右縦パイプ２３１に溶接することで、スタンド２０のコストダウンと、スタンド２０の強度アップとを図ることができる。
【００６０】
また、横アーム２３１ｃは、右縦パイプ２３１から先端までの長さが、右横フレーム２５よりも短く構成されている。また、後述する通り、第３タム３４は、横アーム２３１ｃに沿ってスライド可能であり、右縦パイプ２３１から第３タム３４の先端（右縦パイプ２３１から最も離れた第３タム３３の縁部）までの長さは、右横フレーム２５よりも短くなるように調節可能に構成されている。そして、上述した通り、右縦パイプ２３１は、専用ドラムキーを用いてクランプ２３ｄを緩めることで、右支柱２３の鉛直方向の中心軸を軸に回転させることができる。よって、右縦パイプ２３１を、右支柱２３の鉛直方向の中心軸を軸に回転させることで、横アーム２３１ｃと第３タム３４とを、右横フレーム２５の上方に折り畳むことができる。従って、幅方向にコンパクトに折り畳むことができる。
【００６１】
また、横アーム２３１ｃは、上述した左縦パイプ２２１に溶接されている横アーム２２１ｅ（第１タム３２が連結されている横アーム２２１ｅ）と、略同じ長さに構成されている。よって、横アーム２３１ｃが溶接された右縦パイプ２３１と、横アーム２２１ｅが溶接された左縦パイプ２２１とを共通化させることができる。
【００６２】
更に、第３タム３４の裏側には、横アーム２３１ｃを挿通してボルトで締め付ける連結部３４ａ（図３参照）が備えられている。かかるボルトを専用のドラムキー（図示せず）で緩めることで、第３タム３４を、横アーム３４ａの水平方向に延びる中心軸を軸に回転させることができる。よって、第３タム３４の打面が鉛直方向と略平行になるように折り畳むことができ、幅方向にコンパクトに折り畳むことができる。また、第３タム３４を横アーム２３１ｃに沿ってスライドさせることができるので、横アーム２３１ｃ上における第３タム３４の位置を調整できる。
【００６３】
更に、上述した通り、第２タム３３は横アーム２３１ｂに沿ってスライドさせることができる。即ち、右縦パイプ２３１から第３タム３４までの長さが、右縦パイプ２３１から第２タム３３までの長さよりも短くなるように調節可能に構成されている。これにより、折り畳んだ場合に、第２タム３３と、第３タム３４とが幅方向に重なる部分が少なくなり、折り畳んだ場合の状態が幅方向に大型化するのを防止できる。
【００６４】
ライドシンバル３７は、右縦ロッド２３２の上端に連結されている。ライドシンバル３７は、上述したクラッシュシンバル３６と同様に（図４参照）、右縦ロッド２２３に連結されているので、その説明は省略する。
【００６５】
次に、図５〜図９を参照して、上述した電子ドラムセット１０の折り畳み手順の一例について説明する。まず、図５（ａ）に示す通り、音源４０を矢印Ａ方向に回転させる。ハンドル付きＴ型クランプ２２１ａにおいて、横アーム２２１ｂ（図３参照）を締め付けているボルドを、専用のドラムキーで緩め、横アーム２２１ｂと、音源４０とを一体に、矢印Ａ方向に回転させる。
【００６６】
次に、図５（ｂ）に示す通り、ハイハット３５を矢印Ｂ方向に回転させると共に、矢印Ｃ方向に回転させる。ハンドル付きＴ型クランプ２２１ｃのうち、横アーム２２１ｄを締め付けているボルドを、専用のドラムキーで緩め、横アーム２２１ｄと、ハイハット３５とを一体に、矢印Ｂ方向に回転させる。また、ハンドル付きＴ型クランプ２２１ｃのうち、左縦パイプ２２１を締め付けているハンドル付ネジを緩め、横アーム２２１ｃと、ハイハット３５とを一体に、矢印Ｃ方向に回転させる。
【００６７】
次に、図６（ａ）に示す通り、第１タム３２を矢印Ｄ方向に回転させる。第１タム３２の裏側にある連結部３２ａ（図３参照）のボルトを、専用のドラムキーで緩め、第１タム３２を矢印Ｄ方向に回転させる。尚、この場合、第１タム３２と、ハイハット３５とが向かい合うことになるが、両者は、左縦パイプ２２１からの長さが異なるので、完全には重なり合わず、幅方向に大型化するのが防止されている。
【００６８】
また、クラッシュシンバル３６を矢印Ｅ方向に回転させる。つまり、クラッシュシンバル３６が連結されている左縦ロッド２２２を構成する連結金具３のボルトを緩め、第２ロッド２を矢印Ｅ方向に回転させる。これにより、クラッシュシンバル３６を鉛直方向と略平行にできる。更に、左縦ロッド２２２を矢印Ｆ方向にスライドさせる。レバー付きクランプ２２１ｆを操作し、左縦ロッド２２２を左縦パイプ２２１内に収納させる。
【００６９】
次に、図６（ｂ）に示す通り、左縦パイプ２２１を矢印Ｇ方向に回転させると共に、左縦パイプ２２１を矢印Ｈ方向にスライドさせる。これは、左縦パイプ２２１を締め付けているクランプ２２ａを緩め、左縦パイプ２２１を矢印Ｇ方向に回転させると共に、矢印Ｈ方向にスライドさせ、左縦パイプ２２１を左支柱２２内に収納させる。
【００７０】
ここで、左縦パイプ２２１を矢印Ｇ方向に回転させる場合には、第１タム３２、ハイハット３５、音源４０が左横フレーム２４の上方に位置するように回転させる。これにより、第１タム３２、ハイハット３５、音源４０を、左横フレーム２４と、右横フレーム２５との間のスペースに折り畳むことができる。また、本実施形態では、左横フレーム２４の上方はスペースとなっており、第１タム３２、ハイハット３５、音源４０を回転させる場合に、何かを取り外す必要もなく、便利である。
【００７１】
次に、図７（ａ）に示す通り、アタッチメント２３ｂを矢印Ｉ方向、キックパッド３８を矢印Ｊ方向に回転させる。アタッチメント２３ｂは、ハンドル付クランプ２３ａのハンドル付ネジを緩め、矢印Ｉ方向に回転させる。キックパッド３８は、ハンドル付クランプ２３ｃのハンドル付ネジを緩め、矢印Ｊ方向に回転させる。
【００７２】
次に、図７（ｂ）に示す通り、第２タム３３を矢印Ｋ方向、横アーム２３１ｂと第２タム３３とを矢印Ｌ方向、第３タム３４を矢印Ｍ方向に回転させる。そして、横アーム２３１ｂと第２パッド３３とを矢印Ｎ方向に引き上げる。
【００７３】
第２タム３３は、第２タム３３の裏側にある連結部３３ａ（図３参照）のボルドを専用のドラムキーで緩め、矢印Ｋ方向に回転させる。また、ハンドル付きＴ型クランプ２３１ａにおいて、右縦パイプ２３１を締め付けているハンドル付ネジを緩め、横アーム２３１ｂと、第２タム３３とを一体に、矢印Ｌ方向に回転させる。第３タム３４は、第３タム３４の裏側にある連結部３４ａ（図３参照）のボルトを専用のドラムキーで緩め、矢印Ｍ方向に回転させる。そして、既に、ハンドル付きＴ型クランプ２３１ａの右縦パイプ２３１を締め付けているハンドル付ネジは緩められているので、横アーム２３１ｂと第２パッド３３とを、右縦パイプ２３１に沿って上方（矢印Ｎ方向）にスライドさせる。
【００７４】
尚、この場合にも、第２タム３３と、第３タム３４とが向かい合うことになるが、両者は、右縦パイプ２３１からの長さが異なるので、完全には重なり合わず、幅方向に大型化するのが防止されている。
【００７５】
次に、図８（ａ）に示す通り、ライドシンバル３７を矢印Ｏ方向に回転させる。具体的には、クラッシュシンバル３６と同様に、ライドシンバル３７に連結されている右縦ロッド２３２を構成する連結金具３のボルトを緩め、第２ロッド２を矢印Ｏ方向に回転させる。これにより、ライドシンバル３７を鉛直方向と略平行にできる。更に、右縦ロッド２３２を矢印Ｐ方向にスライドさせる。これは、レバー付きクランプ２３１ｄを操作して、右縦ロッド２３２を右縦パイプ２３１内に収納する。更に、右縦パイプ２３１を締め付けているクランプ２３ｄを緩め、右縦パイプ２３１を矢印Ｑ方向に回転させると共に、右縦パイプ２３１を矢印Ｒ方向にスライドさせて右支柱２３内に収納する。
【００７６】
右縦パイプ２３１を矢印Ｑ方向に回転させる場合には、第２タム３３、第３タム３４が右横フレーム２５の上方に位置するように回転させる。これにより、第２タム３３、第３タム３４を、左横フレーム２４と、右横フレーム２５との間のスペースに折り畳むことができる。また、本実施形態では、右横フレーム２５の上方はスペースとなっており、第２タム３３、第３タム３４を回転させる場合に、何かを取り外す必要もなく、便利である。
【００７７】
最後に、図８（ｂ）に示す通り、ハンドル付クランプ２１ａを緩め、右横フレーム２５を矢印Ｓ方向に回転させる。そして、上述した手順で電子ドラム１０を折り畳むことで、図９（ａ）に示す通り、電子ドラム１０をコンパクトに折り畳むことができる。即ち、音源４０、ハイハット３５、第１タム３２、アタッチメント２３ｂ、第２タム３３、第３タム３４の各種パッドは、左横フレーム２４と、右横フレーム２５との間に収められ、クラッシュシンバル３６、ライドシンバル３７も鉛直方向と略平行に折り畳められている状態となる。
【００７８】
また、図９（ｂ）は、（ａ）に示す態様とは異なる態様で電子ドラムセット１０を折り畳んだ状態を示す斜視図である。図９（ｂ）では、左横フレーム２４の外面と、右横フレーム２５の外面とに突起９０が突設されている。突起９０は、クラッシュシンバル３６、ライドシンバル３７に貫通形成されている嵌合孔３６ａ（図４（ａ）参照）に挿入可能な外径に形成されている。そして、クラッシュシンバル３６の嵌合孔３６ａ、ライドシンバル３７の嵌合孔に、各突起を挿通させ、クラッシュシンバル３６、ライドシンバル３７を左横フレーム２４、右横フレーム２５に吊り下げるのである。
【００７９】
また、スネアドラム３１を、図９（ｂ）に示す通り、折り畳む。即ち、スネアドラム３１の裏側にある連結部３１ａのボルドを専用のドラムキーで緩め、スネアドラム３１のパッド面が鉛直方向と略平行になるように、コの字型連結パイプ２１ｃの上方のパイプを回転軸として、スネアドラム３１を奥方に回転させる。また、コの字型連結パイプ２１ｃの下方のパイプを締め付けているハンドル付Ｔ型クランプ２１ｂを緩め、コの字型連結パイプ２１ｃの下方のパイプを回転軸として、スネアドラム３１を奥方に回転させるのである。このようにしても、電子ドラムセット１０をコンパクトに折り畳むことができる。
【００８０】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００８１】
上記実施形態では、右支柱２３、横アーム２２１ｄ等を回転可能、左縦パイプ２２１等を伸縮可能に構成し、電子ドラムセット１０を折り畳み可能に構成する場合について説明したが、これらを回転不可能、または、伸縮不可能に構成しても良い。例えば、右横フレーム２５を中央支柱２１に溶接して右支柱２３を回転不可能、横アーム２２１ｄを左縦パイプ２２１に溶接して回転不可能、左縦パイプ２２１を左支柱２２に溶接して伸縮不可能に構成しても良い。
【００８２】
上記実施形態では、第１タム３２、第３タム３４を支持する横アーム２２１ｅ、２３１ｃを左縦パイプ２２１、右縦パイプ２３１に溶接する場合について説明したが、溶接する横アーム２２１ｅ、２３１ｃはこれに限定されない。例えば、ハイハット３５、第２タム３３を支持する横アーム２２１ｄ１，２３１ｂを左縦パイプ２２１、右縦パイプ２３１に溶接し、逆に、横アーム２２１ｅ、２３１ｃを溶接せず、例えば、ハンドル付Ｔ型クランプで連結しても良い。
【００８３】
上記実施形態では、左横フレーム２４と左支柱２２、左横フレーム２４と中央支柱２１、右横フレーム２５と右支柱２３を溶接し、右横フレーム２５と中央支柱２１をハンドル付クランプ２１ａで連結する場合について説明したが、これに限定されない。これらの全てをハンドル付クランプを介して連結しても良いし、全てを溶接して連結しても良いし、左横フレーム２４と中央支柱２１とをハンドル付クランプで連結するようにしても良い。
【００８４】
上記実施形態では、中央支柱２１とスネアドラム３１とを、ハンドル付Ｔ型クランプ２１ｂ、コの字型連結パイプ２１ｃを介して連結する場合について説明したが、これに限定されない。例えば、コの字型連結パイプ２１ｃの上方のパイプを省略し、そこにスネアドラム３１を連結しても良い。または、コの字型連結パイプ２１ｃの下方のパイプを省略し、そこに中央支柱２１を連結しても良い。更に、ハンドル付Ｔ型クランプ２１ｂ、コの字型連結パイプ２１ｃを省略し、中央支柱２１とスネアドラム３１とを、少なくとも一方向に回動自在に連結可能なほかの連結方法（例えば、ボールクランプなど）で連結しても良い。かかる場合でも、スネアドラム３１を打撃した力を中央支柱２１で吸収できるので、スタンド２０が演奏者側に傾倒するのを抑制できる。
【００８５】
上記実施形態では、キックパッド３８と、ハンドル付クランプ２３ａと、アタッチメント２３ｂとを右支柱２２に取り付ける場合について説明したが、これに限定されない。ハイハット３５と、第２タム３３とを入れ替え可能とし、キックパッド３８と、ハンドル付クランプ２３ａと、アタッチメント２３ｂとを左支柱２２に付け替え可能にしても良い。尚、アタッチメント２３ｂは、ハンドル付クランプ２３ａで締め付ける部分を、伸縮可能に左右両方側に設ければ良い。この場合、左足でキックパッド３８を打撃でき、演奏者の自由度を向上できる。
【００８６】
上記実施形態では、電子ドラムセット１０について説明したが、本発明は、打撃を検出するセンサを備えていない打楽器であっても良い。例えば、アコースティックドラムのドラムセットを模した打楽器、練習用のドラムセットであっても良い。
【００８７】
上記実施形態では、例えば、第２タム３３を横アーム２３１ｂ、第３タム３３を横アーム２３１ｃに沿ってスライド可能にすることで、右縦パイプ２３１からの第２タム３３と、第３タム３４との位置を調節可能に構成する場合について説明したが、これに限定されない。例えば、横アーム２３１ｂ、２３１ｃを伸縮可能に構成しても良い。この場合でも、右縦パイプ２３１からの第２タム３３と、第３タム３４との位置を調節可能に構成できる。
【００８８】
電子ドラムセット１０の折り畳み手順は、上記実施形態で説明した手順に限定されない。例えば、右側から折り畳んでも良いし、横アーム２２１ｄ等を折り畳む前に、右縦ロッド２２２、右縦パイプ２２１を伸縮させても良い。また、各種パッド３１〜３８を取り外し、スタンド２０と、横アーム２２１ｂ，２２１ｄ等とを折り畳むようにしても良い。
【００８９】
上記実施形態では、ストッパ８０の貫通孔を円形状に形成する場合について説明したが、ストッパ８０の形状としては、例えば、楕円形にして、ストッパ８０に周り止め機能を持たせるようにしても良い。
【００９０】
上記実施形態では、音源４０、ハイハット３５を横アーム２２１ｂ，２２１ｄに沿ってスライド不可能に連結し、第１タム〜第３タム３２〜３４を横アーム２２１ｅ，２３１ｂ，２３１ｃに沿ってスライド可能に連結する場合について説明したが、これに限定されない。音源４０、ハイハット３５を横アーム２２１ｂ，２２１ｄに沿ってスライド可能に連結しても良い。この場合、演奏時には、左縦パイプ２２１から音源４０，ハイハット３５までの長さが左横フレーム２４よりも長くても短くても良く、収納時に、かかる長さが左横フレーム２４よりも短く調節可能であれば良い。また、第１タム〜第３タム３２〜３４を横アーム２２１ｅ，２３１ｂ，２３１ｃに沿ってスライド不可能に連結しても良い。この場合には、予め、左縦パイプ２２１から第１タム３２までの長さが左横フレーム２４の長さよりも短くなるように、右縦パイプ２３１から第２，第３タム３３，３４までの長さが右横フレーム２５の長さよりも短くなるように固定しておけば良い。
【符号の説明】
【００９１】
１          第１ロッド
１ａ        基部
１ｂ        屈曲部
１ｃ        オフセット部
２          第２ロッド
３          連結金物（連結部材）
１０        電子ドラムセット（打楽器の一例）
２１        中央支柱（中央縦フレームの一例）
２２        左支柱（左縦フレームの一例）
２３        右支柱（右縦フレームの一例）
２４        左横フレーム
２５        右横フレーム
３１        スネアドラム（パッドの一例）
３２        第１タム（パッドの一例）
３３        第２タム（パッドの一例）
３４        第３タム（パッドの一例）
３６        クラッシュシンバル（シンバルパッドの一例）
３６ａ      嵌合穴
３７        ライドシンバル（シンバルパッドの一例）
６０        キックペダル
８０        ストッパ
８０ａ      上部
８０ｂ      腹部
８０ｃ      下部
９０        突起
２２１      左縦パイプ（左縦フレームの一例）
２２１ｄ    横アーム（第１アーム、第２アームの一例）
２２１ｅ    横アーム（第１アーム、第２アームの一例）
２２２      左縦ロッド（ロッドの一例）
２３２      右縦ロッド（ロッドの一例）
２３１      右縦パイプ（右縦フレームの一例）
２３１ｃ    横アーム（第１アーム、第２アームの一例）
２３１ｂ    横アーム（第１アーム、第２アームの一例）
【図１】
2014092588.tif 000003
【図２】
2014092588.tif 000004
【図３】
2014092588.tif 000005
【図４】
2014092588.tif 000006
【図５】
2014092588.tif 000007
【図６】
2014092588.tif 000008
【図７】
2014092588.tif 000009
【図８】
2014092588.tif 000010
【図９】
2014092588.tif 000011